(57)【要約】      （修正有） 【課題】陶磁器の食器の表面に漆器の柚蒔模様を、堅牢性を有するように形成する。【解決手段】食品当接面を素焼き状態で、他の面に所望の釉薬を施して焼成した陶磁器製の食器本体１における素焼き面（素焼き体１１の内面側）に、漆を塗布焼き付けで形成したベース層部２と、前記ベース層部の表面側に、平滑表面で、且つ視認可能な粒状の有用鉱物を漆層内に混合内在し、前記有用鉱物の一部が表面に露出させた上層部３とを備えてなる。【選択図】図２
0003148849.tif 000002
【実用新案登録請求の範囲】
【請求項１】
食品当接面を素焼き状態で、他の面に所望の釉薬を施して焼成した陶磁器製の食器本体における素焼き面に、漆を塗布焼き付けで形成したベース層部と、前記ベース層部の表面側に、平滑表面で、且つ視認可能な粒状の有用鉱物を漆層内に混合内在し、前記有用鉱物の一部が表面に露出させた上層部とを備えてなることを特徴とする陶磁器製食器。
【請求項２】
粒状有用鉱物を、トルマリン、コロンバイト、長石、ゼノタイム、ブラックシリカ、バイタルアトムから選択した複数の混合物としてなる請求項１記載の陶磁器製食器。
【請求項３】
上層部内に有用鉱物と共に炭微粉末を混在させてなる請求項１又は２記載の陶磁器製食器。
【請求項４】
上層が、ベース層部の上面に漆を塗布して形成した下塗り層と、炭微粉末と有用鉱物である粒体を含む混合層と、混合層の研磨面上に漆を塗布して形成した仕上げ層とで構成される層状構造としてなる請求項３記載の陶磁器製食器。
【考案の詳細な説明】
【技術分野】
【０００１】
本考案は、食品と当接する表面・内面に、漆器面を形成した陶磁器製食器に関するものである。
【背景技術】
【０００２】
陶磁器において、その表面を漆面に形成する容器は公知である。具体的には特許文献１（特開２０００−１３９６６１号公報）に、素焼き陶器の表面に生漆をテレピン油で薄め、これを塗布・乾燥することを数回繰り返し、漆器の色艶を備える陶器が開示されている。
【０００３】
また特許文献２（特開２００２−３５５１５５号公報）には、漆器において、漆器を使用した際に食品や飲料をマイナスイオン化する手段として、トルマリンの微粉末を漆塗料に混練りして塗布することが開示されている。
【０００４】
【特許文献１】特開２０００−１３９６６１号公報。
【特許文献２】特開２００２−３５５１５５号公報。
【考案の開示】
【考案が解決しようとする課題】
【０００５】
陶磁器の表面に漆器の色艶を表現するために、単に陶磁器本体に漆材の塗布乾燥して形成する場合には、漆器の木質材と異なり密着性に問題があり、剥離しやすく、耐久性という問題がある。
【０００６】
またマイナスイオン効果を享受するために単に有用鉱物の微粉末を混入するのみでは、その享受性について問題があるし、漆器面の美的効果についても優れたものとは云えない。
【０００７】
そこで本考案は、陶磁器製の食器において、漆器の更なる美的効果を備えると共に、マイナスイオン効果などの有用鉱物の作用をも有効に享受できる新規な陶磁器製食器を提案したものである。
【課題を解決するための手段】
【０００８】
本考案に係る陶磁器製食器は、食品当接面を素焼き状態で、他の面に所望の釉薬を施して焼成した陶磁器製の食器本体における素焼き面に、漆を塗布焼き付けで形成したベース層部と、前記ベース層部の表面側に、平滑表面で、且つ視認可能な粒状の有用鉱物を漆層内に混合内在し、前記有用鉱物の一部が表面に露出させた上層部とを備えてなることを特徴とするものである。
【０００９】
而して前記の陶磁器製食器は、容器であれば内面が、皿であれば上面がそれぞれ漆器面に形成され、特にベース層部を、素焼き面に焼き付け付着を行ったので、ベース層部は堅牢に素焼き個所に密着し、当該漆面（ベース層部）上に、漆層である上層部を積層付着させるものであるから、漆器層部分が堅牢に一体化される。しかも前記漆器面が、有用鉱物（粒体）の露出面による模様（吸光型偏光子としての作用や、鉱物の反射光並びに微小な凹凸面）によって独自の装飾効果を奏する。
【００１０】
また本考案（請求項２）に係る陶磁器製食器が、前記の上層部の有用鉱物（粒体）が、トルマリン、コロンバイト、長石、ゼノタイム、ブラックシリカ、バイタルアトムから選択した全部又は数種類の粒体の混合物からなるもので、前記有用鉱物が温度によって焦電効果を奏し、湿度（水分の接触）によって微弱電流が流れ、マイナスイオンが放出され、当該食器に盛りつけられた食品の浄化をなし、また粒体の材質の相違による模様の多様性が得られる。
【００１１】
また本考案（請求項３）に係る陶磁器製食器は、更に前記上層部に炭微粉末を混入させてなるもので、有用鉱物の粒体の間に炭微粉末が介在することで、有用鉱物の粒体が偏在することなく、且つ有用鉱物の粒体の間を炭微粉末で満たすことで、有用鉱物付着層表面の凹凸形状を浅くし、平滑面の形成を容易にしているものである。
【考案の効果】
【００１２】
本考案は上記のとおりで、陶磁器製の食器において、十分な耐久性を備え、種々の有用鉱物の粒体が散りばめられた模様を備えた漆面による美的効果を有し、更に有用鉱物により、所望の効果（模様の多様性、マイナスイオン効果、抗菌浄化作用）をも享受できる食器を提供できたものである。
【考案を実施するための最良の形態】
【００１３】
次に本考案の実施形態について説明する。実施形態に示した食器は、食器本体１の所定面（素焼き面）に、漆を主材として形成したベース層部２及び上層部３を積層形成したものである。
【００１４】
食器本体１は、容器状や皿状に所望の食器形状の素焼き体（陶器又は磁器）１１を形成し、この素焼き体１１において、容器であれば内面が、皿であれば上面のように食品当接面以外の面に釉掛けを行って本焼きし、また必要に応じて絵付け（下絵付、上絵付）を行い、所望の摸様１２を有する表面部（釉掛け部）１３を備えたものである。
【００１５】
ベース層部２は、食器本体１の素焼き面（素焼き体１１における非釉薬塗布面）に、やや薄めた生漆を塗り込み、素焼き面の微細孔に漆液を浸透させ、焼き付け（約２００℃）を行い、しかる後ペーパーで研磨して表面を適度に平滑（僅かな凹凸や毛羽立ちを含む）に形成したものである。
【００１６】
上層部３は、下塗り層３１と、混合層３２と仕上げ層３３が層状形成されているもので、下塗り層３１は、薄めの黒漆（他の色漆でも良い）を全体に塗り、乾燥後平滑処理（ペーパー研磨）を行う。
【００１７】
混合層３２は、下塗り層３１の上面にやや厚め黒漆（他の色漆でも良い）を塗り、付着層３２１を形成し、トルマリン、コロンバイト、長石、ゼノタイム、ブラックシリカ、バイタルアトムを、全部又は数種類を選択して混合した粒体（有用鉱物）３２２と、炭微粉末（備長炭・竹炭等）３２３を混合して前記付着層３２１に散布付着させる。
【００１８】
また前記手段に代えて、粒体３２２と、炭微粉末３２３を漆液に混合し、この混合漆液を塗付して、有用鉱物の粒体３２３及び炭微粉末３２３を付着させても良い。
【００１９】
更に前記の混合層３２の表面は、粒体３２２の付着で凹凸面となるが、生漆を塗布して付着物（粒体３２２と炭微粉末３２３）の付着を堅牢とし、乾燥後研磨し、これを数回繰り返して、漆と粒体３２２と炭微粉末３２３とを一体化し、更に粒体３２２の研磨表面を露出させてなる。
【００２０】
仕上げ層３３は、生漆（黒漆又は色漆）を全体に塗布し、乾燥させて、乾燥後研磨し、更に生漆を塗布し、乾燥後油摺りを行い、更に生漆の塗布油摺り、磨き粉による研磨で光沢を出したものである。
【００２１】
従って外側を釉薬仕上げとした陶磁器において、食品当接箇所を漆器仕上げにすると共に、粒体（有用鉱物）の表面露出と、表面の上層部の漆層の塗布厚みの微妙な相違によって濃淡模様（ゆず蒔様模様）が形成され、従前に無い新規な意匠を備えた食器を提供することができ、而も有用鉱物からの自然放射や、温度変化による食品放射による食品浄化作用（遠赤外線放射、マイナスイオン放射、抗菌作用、脱臭作用）を得ることができたものである。
【図面の簡単な説明】
【００２２】
【図１】本考案の実施形態の一部切断した正面図。
【図２】同全体の製造過程の説明図。
【図３】同ベース層部の形成説明図。
【図４】同上層部の形成説明図。
【符号の説明】
【００２３】
１        食器本体
１１      素焼き体
１２      摸様
１３      表面部（釉掛け部）
２        ベース層部
３        上層部
３１      下塗り層
３２      混合層
３２１    付着層
３２２    粒体（有用鉱物）
３２３    炭微粉末
３３      仕上げ層
【図１】
0003148849.tif 000003
【図２】
0003148849.tif 000004
【図３】
0003148849.tif 000005
【図４】
0003148849.tif 000006